(57)【要約】【課題】全体の小型化、薄型化を図るとともに、発光素子による照光面積を広げる。【解決手段】ＬＥＤ６と、このＬＥＤ６からの出射光をＬＥＤ６の光軸に直交する方向に拡散させる拡散面７と、を備える。拡散面７は、ＬＥＤ６を間に挟んで対向する位置に、ＬＥＤ６の光軸に直交する平面に対して傾斜されて設けられている。【選択図】図４
2009109740.tif 000002
【特許請求の範囲】
【請求項１】
発光素子と、前記発光素子からの出射光を前記発光素子の光軸に直交する方向に拡散させる拡散面と、を備え、
前記拡散面は、前記発光素子を間に挟んで対向する位置に、前記光軸に直交する平面に対して傾斜されて設けられている、表示灯。
【請求項２】
前記拡散面には、前記発光素子からの出射光を拡散させる光拡散膜が設けられている、請求項１に記載の表示灯。
【請求項３】
前記拡散面は、前記光軸に直交する平面に対する傾斜角が４５度未満である、請求項１又は２に記載の表示灯。
【請求項４】
前記発光素子及び前記拡散面を覆う光透過板を備え、
前記光透過板には、前記発光素子及び前記拡散面からの光を拡散させる光拡散膜が設けられている、請求項１ないし３のいずれか１項に記載の表示灯。
【請求項５】
前記拡散面は、前記発光素子の光軸の周囲に亘って設けられている、請求項１ないし４のいずれか１項に記載の表示灯。
【請求項６】
請求項１ないし５のいずれか１項に記載の表示灯と、
前記発光素子が配置される開口が設けられ該開口の縁部に前記拡散面が形成されている筐体と、
を備える電子機器。
【発明の詳細な説明】
【技術分野】
【０００１】
本発明は、例えば発光ダイオード等の発光素子の点灯及び消灯によって電子機器等の状態を示す表示灯、及び表示灯を備える電子機器に関する。
【背景技術】
【０００２】
電子機器として、例えば携帯型電話機では、発光ダイオード（ＬＥＤ）の点灯、点滅、消灯等の状態によって、例えば着信等の各種状態を表示する表示灯を備えている（例えば、特許文献１参照）。
【０００３】
この種の表示灯は、図９及び図１０に示すように、携帯型電話機の筐体１０３の内部に、回路基板１１０上に実装されたＬＥＤ１０６が配置されている。そして、これら表示灯では、ＬＥＤ１０６からの出射光を、レンズ状の光学部材１０８を用いて光軸に直交する方向に拡散させることで、照光面積が確保されている。この光学部材１０８は、携帯型電話機の厚みｔ１方向に対して占める厚みｔ２が比較的厚く、かつ、外形寸法が比較的大きく形成されている。
【０００４】
また、携帯型電話機の筐体の内部に、表示灯を配置するための充分なスペースを確保することが困難であり、上述のような光学部材１０８を使用することができない場合には、光学部品１０８の代わりに、比較的薄い板状の光透過板１０９によってＬＥＤ１０６が覆われる構成が採られている。この表示灯は、図１１に示すように、ＬＥＤ１０６からの出射光が、光透過板１０９を介して出射され、ＬＥＤ１０６の光軸上の近傍のみが照光されている。
【特許文献１】特開２００２−５７７６２号公報（図２）
【発明の開示】
【発明が解決しようとする課題】
【０００５】
図９及び図１０に示した、上述の表示灯では、厚みｔ１が比較的大きな光学部材１０８を配置するために、筐体１０３の内部に、厚みｔ１方向のスペース、及びこの厚みｔ１方向に直交する平面的なスペースを充分に確保する必要がある。したがって、これら表示灯は、小型化、薄型化が要望されている携帯型電話機に適用された場合、携帯型電話機の厚みｔ１方向や外形寸法へ及ぼす影響が大きかった。
【０００６】
また、図１１に示した表示灯の構成では、ＬＥＤ１０６の光軸の上部付近のみにしか、照光面積を得ることができず、ＬＥＤ１０６による照光面積が非常に狭くなってしまう不都合がある。
【０００７】
そして、携帯型電話機の薄型化、小型化が図られた場合には、筐体の内部に、表示灯を配置するスペースや厚みを充分に確保することが困難である。このため、特に携帯型電話機に適用される表示灯では、ＬＥＤによる照光範囲を広げることが難しくなっており、携帯電話機の外観デザインへの影響があるので、ＬＥＤによる照光性を向上し、照光範囲を広げることが求められている。
【０００８】
一方で、携帯型電話機では、ＬＥＤの照光範囲を充分に確保した場合、携帯型電話機の大型化を招き、携帯型電話機の外観デザインの自由度が制限され、外観デザインを損なってしまう不都合があった。
【０００９】
そこで、本発明は、上述した課題を解決し、全体の小型化、薄型化を図るとともに、発光素子による照光面積を広げることができる表示灯及び電子機器を提供することを目的とする。
【課題を解決するための手段】
【００１０】
上述した目的を達成するため、本発明に係る表示灯は、発光素子と、この発光素子からの出射光を発光素子の光軸に直交する方向に拡散させる拡散面と、を備える。また、拡散面は、発光素子を間に挟んで対向する位置に、光軸に直交する平面に対して傾斜されて設けられている。
【００１１】
また、本発明に係る電子機器は、上述した本発明に係る表示灯と、発光素子が配置される開口が設けられこの開口の縁部に拡散面が形成されている筐体と、を備える。
【発明の効果】
【００１２】
本発明によれば、発光素子からの出射光をこの発光素子の光軸に直交する方向に拡散させる拡散面を備えることによって、全体の小型化、薄型化を図るとともに、発光素子からの出射光による照光面積を増やすことができる。
【発明を実施するための最良の形態】
【００１３】
以下、本発明の具体的な実施形態について、図面を参照して説明する。
【００１４】
実施形態の表示灯を備える電子機器として、実施形態の携帯型電話機を説明する。図１に示すように、本実施形態の携帯型電話機１は、点灯や点滅等によって携帯型電話機１の各種状態を表示する表示灯２と、この表示灯２が設けられる筐体３とを備えている。
【００１５】
筐体３には、文字等の情報を表示する液晶表示板４が配置されており、この液晶表示板４の近傍に、表示灯２が配置されている。
【００１６】
表示灯２は、発光素子としての発光ダイオード（ＬＥＤ）６と、このＬＥＤ６からの出射光をＬＥＤ６の光軸に直交する方向に拡散させる一組の拡散面７と、ＬＥＤ６及び拡散面７を覆う光透過板９と、を備えている。
【００１７】
また、筐体３には、表示灯２のＬＥＤ６が配置される四角形状の開口５が設けられている。この開口５の縁部には、それぞれ対向する位置に、一組の拡散面７が形成されている。また、開口５の縁部の開口端は、長方形状に形成されており、拡散面７が開口端の短手方向に沿って配置されるとともに、ＬＥＤ６の光軸に平行な垂直面８が開口端の長手方向に沿って配置されている。
【００１８】
ＬＥＤ６としては平面型のＬＥＤが用いられている。ＬＥＤ６は、回路基板１０上に実装されて配置されている。
【００１９】
拡散面７は、ＬＥＤ６を間に挟んで対向する位置に、ＬＥＤ６の光軸に直交する平面に対して傾斜されて設けられている。また、拡散面７は、下端が、ＬＥＤ６の出射面とほぼ等しい位置に形成されており、開口５の下端側の内壁面によって、出射面からの出射光を遮らないように形成されている。
【００２０】
この拡散面７は、ＬＥＤ６の光軸に直交する平面に対する傾斜角θが、４５度以上の場合には、ＬＥＤ６の光軸に直交する方向に良好に拡散されないので好ましくない。傾斜角θは、例えば開口５の長手方向に沿って照光させる長さ等の所望の照光範囲に応じて、４５度未満の範囲内で、ＬＥＤ６の照射性能の許す限り自由に設定することができる。このとき、傾斜角θは、筐体３の拡散面７の強度を保てる範囲で設定される。本実施形態では、傾斜角θが６．５度に設定されている。
【００２１】
また、筐体３は、樹脂材料によって成形金型を用いて成形されており、拡散面７が、成形金型による成形面によって構成されている。したがって、筐体３によれば、拡散面７を、製造コストの増加を招くことなく、簡素に構成することができる。
【００２２】
光透過板９は、例えば樹脂材料によって比較的薄い板状に形成されている。光透過板９は、表示灯２と液晶表示板４とに跨って配置されて、筐体３に固定されている。
【００２３】
以上のように構成された表示灯２について、ＬＥＤ６による照光面積が広げられる作用を説明する。
【００２４】
表示灯２では、ＬＥＤ６からの出射光が光透過板９を介して筐体３の外部に出射されるとともに、この出射光の一部が拡散面７によって出射光の光軸に直交する方向に拡散される。そして、ＬＥＤ６からの出射光の一部が拡散面７によって拡散されることで、ＬＥＤ６による照光面積が開口５の長手方向に広げられ、光透過板９に入射される。このため、表示灯２では、光透過板９からの出射光による照光面積が増加される。したがって、表示灯２は、小型、薄型が図られているのに拘わらず、照光面積が広げられているので、点灯や点滅状態等を良好に視認することができる。
【００２５】
上述したように、実施形態の表示灯２によれば、ＬＥＤ６からの出射光をこのＬＥＤ６の光軸に直交する方向に拡散させる一組の拡散面７を備えることによって、ＬＥＤ６の光軸方向に対する厚みや、光軸に直交する方向に対する平面的なスペースが大きくなることが抑えられると共に、拡散面７でＬＥＤ６による照光面積を増加させることができる。
【００２６】
すなわち、表示灯２では、ＬＥＤ６の光軸上に、比較的厚みが大きいレンズのような光学部品を配置することなく、比較的薄い板状の光透過板９のみで、照光面積を充分に確保することが可能になる。したがって、表示灯２によれば、表示灯２を備える携帯型電話機１の小型化、薄型化を図ると共に、ＬＥＤ６からの出射光の視認性を向上することができる。
【００２７】
（他の実施形態）
上述した実施形態の表示灯２では、長方形状をなす開口５の縁部に、一組の拡散面７が設けられた構成が採られたが、拡散面の形態が、この構成に限定されるものではない。
【００２８】
例えば図５及び図６に示すように、拡散面１７は、開口５の縁部に、ＬＥＤ６の光軸の周囲に亘って、対向する位置にそれぞれ配置されることで、開口５及び開口端が正方形状又は長方形状に形成される構成が採られてもよい。この拡散面１７によれば、ＬＥＤ６による照光面積を正方形状又は長方形状に広げることが可能になる。
【００２９】
また、図７に示すように、拡散面２７は、開口５の縁部に、ＬＥＤ６の光軸の周囲に亘って円錐状に形成される構成が採られてもよい。この拡散面２７によれば、ＬＥＤ６による照光面積を円形状に広げることが可能になる。
【００３０】
また、図８に示すように、必要に応じて、拡散面７及び光透過板９の内面の上には、拡散膜１１が設けられてもよく、ＬＥＤ６からの出射光を更に良好に拡散させることが可能になる。
【００３１】
なお、本発明に係る表示灯は、携帯型電話機に適用される構成を挙げたが、例えばパーソナルコンピュータ、ＰＤＡ（Personal Data Assistant）、携帯型ビデオゲーム機等の他の電子機器や、各種装置の操作パネル等に配置される構成に適用されて好適である。
【図面の簡単な説明】
【００３２】
【図１】実施形態の携帯型電話機を背面側から示す平面図である。
【図２】実施形態の表示灯を示す斜視図である。
【図３】前記表示灯を示す平面図である。
【図４】前記表示灯を示す縦断面図である。
【図５】他の実施形態の表示灯を示す平面図である。
【図６】前記他の実施形態の表示灯を示す斜視図である。
【図７】更に他の実施形態の表示灯を示す平面図である。
【図８】実施形態の表示灯の構成例を示す縦断面図である。
【図９】本発明に関連する表示灯を示す縦断面図である。
【図１０】本発明に関連する他の表示灯を示す縦断面図である。
【図１１】本発明に関連する更に他の表示灯を示す縦断面図である。
【符号の説明】
【００３３】
１  携帯型電話機
２  表示灯
３  筐体
５  開口
６  ＬＥＤ（発光素子）
７  拡散面
９  光透過板
１１  拡散膜
【図１】
2009109740.tif 000003
【図２】
2009109740.tif 000004
【図３】
2009109740.tif 000005
【図４】
2009109740.tif 000006
【図５】
2009109740.tif 000007
【図６】
2009109740.tif 000008
【図７】
2009109740.tif 000009
【図８】
2009109740.tif 000010
【図９】
2009109740.tif 000011
【図１０】
2009109740.tif 000012
【図１１】
2009109740.tif 000013